(57)【特許請求の範囲】
【請求項１】
機能の異なる複数のパネル体を前後方向に重複配置して組み立てるようにした遊技機において、
前記複数のパネル体から選択された一のパネル体をレール部材によって略円形形状に区画された遊技領域をその前面に有する遊技盤とし、
前記遊技盤を載置する載置部と前記遊技領域を露出させる開口部と前面側に遊技球発射機構を備えた遊技機本体と、前記遊技領域を視認可能とする窓部を備えた扉枠とをそれぞれ前記遊技盤の後方及び前方に配置される前記パネル体として隣接配置させ、
前記遊技盤を前記載置部上に載置した状態で、前記載置部よりも下方の待機位置と前記載置部側に露出して前記遊技盤前面に当接する作用位置とのいずれかの位置を取り得る固定手段の前記作用位置において前記遊技盤を前記遊技機本体に対して密着固定させるとともに、前記扉枠の背面位置に１つあるいは複数の突起体を散点的かつ選択的に配置し、
前記突起体は前記遊技盤の前面側であって前記レール部材よりも下方側となる前記固定手段の近傍位置を押圧し、
前記遊技盤を間に介在させた状態で前記遊技機本体に対して前記扉枠を閉塞状態に配置した際に前記突起体の先端が前記載置部上に載置された前記遊技盤の前面に当接するようにしたことを特徴とする遊技機。
【発明の詳細な説明】
【技術分野】
【０００１】
本発明は、機能の異なる複数のパネル体を前後方向に重複配置して組み立てるようにした遊技機に関するものである。
【背景技術】
【０００２】
従来から例えばパチンコ遊技機やスロットマシンのような遊技機では機能の異なる複数のパネル体を前後方向に重複配置して組み立てるようにしている。このような遊技機の一例として特許文献１のパチンコ遊技機を示す。特許文献１ではその図１２に示すように外枠１１に対して遊技機本体１２を開閉可能に取り付け、この遊技機本体１２の前後に前扉枠１３、遊技盤３０、制御基板ユニット２０１〜２０３を重複状に配置させている。そして、これらのパネル体同士の連結は回転式の係止固定具やナイラッチ（登録商標）と呼称される押し込み式の固定ピン等の固定手段によって行われている。
例えば遊技盤３０は同文献１の図１４に示すように周縁に散点的に配設された複数の係止固定具２１１，２１２によって遊技機本体１２に対して固定（係合）されており、遊技機本体１２側の棚部分に載置された状態で後方に脱落しないように保持されている。
【先行技術文献】
【特許文献】
【０００３】
【特許文献１】特開２００５−４１５号公報
【特許文献２】特開２００２−３３６５０２号公報
【発明の概要】
【発明が解決しようとする課題】
【０００４】
ところが、このような係止固定具２１１，２１２は複数設けられているためにすべてが完全に機能していなくとも遊技盤３０が脱落してしまうことはない。そのため一部の係止固定具２１１，２１２について係合方向に回動操作をするのを忘れたり、回動量が不十分で係合作用が発揮できなかったりしたままで組み立てられてしまうことがある。
この場合に上記のように遊技盤３０の脱落はないものの、遊技盤が遊技機本体１２にしっかりと押しつけられずに本来セットされるべき位置から若干ずれて遊技盤３０が遊技機本体１２対してわずかに傾いて載置されてしまう可能性があった。このような症状は潜在的に各種不具合の原因となると考えられ、特に問題となるのは遊技盤３０と遊技機本体１２の前面側の機構との協調性である。
遊技盤３０はその前面側にレールユニット５０を含む遊技面が配設されており、遊技機本体１２にセットされると遊技機本体１２の開口部から遊技面は前方側に露出されレールユニット５０は遊技機本体１２側に突出されることとなる。そして、レールユニット５０の外レール５２は遊技機本体１２の発射機構から斜め上方に発射されるパチンコ球を受け止める機能を有するため、遊技盤３０のわずかな傾きがパチンコ球のレール部材の滑走の妨げとなる場合があるからである。
【０００５】
このような不具合は例えば特許文献１では図１４に図示された係止固定具２１２が非固定状態（係合解除）となった場合に特に生じやすい。つまり、ちょうどこの係止固定具２１２周辺が遊技盤３０の前面に配置された外レール５２の基部位置裏面に相当するからである。更に、この係止固定具２１２は特許文献１の図１１に示すように制御基板ユニット２０２によって係止固定具２１２が隠されてしまい、すべてのパネル体を汲み上げた段階では係止固定具２１２が背面側からは見えにくくなってしまう。そのため非固定状態となっていることが組み立て完了段階で確認しにくいことも不具合を発見しにくい一因となっていた。このような不具合は遊技機が複数のパネルを組み合わせて構成するために生じるものである。そのためある一のパネル体の固定をし忘れてもそれを原因とした不具合が生じにくくなるような工夫がこの種の遊技機で求められていた。
ところで、特許文献１では遊技盤３０は遊技機本体１２に対して後方側から装着保持するように構成されていたが、特許文献２のパチンコ機のように例えばその図１に示すように遊技盤２０を機枠２０に対して前方側から装着保持するような遊技機も存在する。このような構成の遊技機においても、遊技盤２０のわずかな傾きがパチンコ球のレール部材の滑走の妨げとなる点については特許文献１と同様である。従って、特許文献２のような前方側から遊技盤を装着保持させる遊技機においても特許文献１の遊技機と同様の問題が生じていた。
本発明は、このような従来の技術に存在する問題点に着目してなされたものである。その目的とするところは、ある一のパネル体の固定をし忘れてもそれを原因とした不具合が生じにくい遊技機を提供するものである。
【課題を解決するための手段】
【０００６】
上記の目的を達成するために請求項１の発明では、機能の異なる複数のパネル体を前後方向に重複配置して組み立てるようにした遊技機において、前記複数のパネル体から選択された一のパネル体をレール部材によって略円形形状に区画された遊技領域をその前面に有する遊技盤とし、前記遊技盤を載置する載置部と前記遊技領域を露出させる開口部と前面側に遊技球発射機構を備えた遊技機本体と、前記遊技領域を視認可能とする窓部を備えた扉枠とをそれぞれ前記遊技盤の後方及び前方に配置される前記パネル体として隣接配置させ、前記遊技盤を前記載置部上に載置した状態で、前記載置部よりも下方の待機位置と前記載置部側に露出して前記遊技盤前面に当接する作用位置とのいずれかの位置を取り得る固定手段の前記作用位置において前記遊技盤を前記遊技機本体に対して密着固定させるとともに、前記扉枠の背面位置に１つあるいは複数の突起体を散点的かつ選択的に配置し、前記突起体は前記遊技盤の前面側であって前記レール部材よりも下方側となる前記固定手段の近傍位置を押圧し、前記遊技盤を間に介在させた状態で前記遊技機本体に対して前記扉枠を閉塞状態に配置した際に前記突起体の先端が前記載置部上に載置された前記遊技盤の前面に当接するようにしたことをその要旨とする。
【発明の効果】
【０００９】
上記発明では扉枠と遊技機本体とを閉塞することで遊技盤の固定をし忘れても突起体の先端が遊技盤の前面に当接することとなるため、もし遊技盤が密着しておらず隙間がある場合には突起体の先端で遊技盤は押圧されることとなり遊技盤が固定されていないことに基づく不具合が生じにくくなる。
【図面の簡単な説明】
【００１０】
【図１】本発明を応用した実施の形態のパチンコ遊技機の正面図。
【図２】同じパチンコ遊技機の背面図。
【図３】同じパチンコ遊技機の分解斜視図。
【図４】同じパチンコ遊技機の前面扉の背面斜視図。
【図５】同じパチンコ遊技機の遊技機本体の前面斜視図。
【図６】同じパチンコ遊技機における遊技盤の正面図。
【図７】同じパチンコ遊技機において前面扉を開放した状態の上部切り欠き正面図。
【図８】同じパチンコ遊技機において前面扉を開放した状態を破線で示した平面図。
【図９】（ａ）はキャップを装着する前のプレスバー付近の一部断面側面図、（ｂ）はキャップ装着後のプレスバー付近の一部断面側面図。
【図１０】下部回転固定具の取り付け状態を説明する断面図。
【図１１】下部回転固定具の押圧固定状態（実線）と退避状態（破線）を説明する正面図。
【図１２】（ａ）は下部回転固定具が作用して遊技盤が正しく遊技機本体の遊技盤取り付けスペース内にセットされた状態を説明する説明図、（ｂ）は下部回転固定具が作用せず遊技盤が傾いて同スペース内にセットされた状態を説明する説明図。
【図１３】遊技盤が傾いて遊技盤取り付けスペース内にセットされた状態であって、前面扉が閉塞される前の状態を説明する説明図。
【図１４】前面扉が閉塞され傾いて遊技盤取り付けスペース内に傾いてセットされた遊技盤が正しい位置に修正された状態を説明する説明図。
【図１５】他の実施の形態のプレスバー付近の拡大斜視図。
【図１６】他の実施の形態におけるプレスバー付近の断面図。
【図１７】他の実施の形態のパチンコ遊技機において前面扉を開放した状態の上部切り欠き正面図。
【発明を実施するための形態】
【００１１】
以下、本発明の各実施の形態について図面に基づいて説明する。
図１〜図３に示すように、パチンコ遊技機１１は支持枠体かつパネル体としての外枠１２を備えている。外枠１２は、遊技ホールへの設置の際にいわゆる島設備に取り付けられる。外枠１２は上下左右の各枠板１２ａ〜１２ｄによって四角形に枠組みされた木製の枠体とされている。下部枠板１２ｄ上面には幕板１３が配設されている。
外枠１２内には遊技機本体１４が装着されている。後方パネル体としての遊技機本体１４はパチンコ遊技機の構造的な中核を形成する正面視において長方形形状をなすパネル状の構成部材であって、外枠１２内において幕板１３上に配置されている。図１〜図３及び図５に示すように、遊技機本体１４は正面視において略長方形の外郭を備えたＡＢＳ製のパネルとされている。遊技機本体１４は正面から見て左方寄りにおいて上下に配設された開閉金具１５ａを有し、外枠１２側の開閉金具１５ｂに軸支されて開閉軸線Ｐ（図３参照）を軸心として前方側に開放可能とされている。図３に示すように、遊技機本体１４は開閉軸線Ｐ側とは逆側の側縁に上下方向に間隔を開けて２箇所にラッチ機構Ｌ１が配設されている。ラッチ機構Ｌ１は遊技機本体１４が外枠１２に対して閉塞された際に外枠１２側の挿入溝Ｄ１に挿入されて係合しロック状態とされる。ラッチ機構Ｌ１及び挿入溝Ｄ１によって係合手段が構成される。ロック状態の解除（つまり遊技機本体１４の外枠１２に対する開放）は遊技機本体１４前面のキー装置Ｋ（図７参照）のキー操作によって行われる。
【００１２】
図３、図５及び図７に示すように、遊技機本体１４の下部領域には遊技機本体側機構部１６が形成されている。遊技機本体側機構部１６を正面から見て右方には遊技球発射機構としての遊技球発射ユニット１７が配設されている。遊技球発射ユニット１７はソレノイド等から構成された発射部１８と、発射部１８にパチンコ球を順に供給する送球部１９及び補助レール２０から構成されている。遊技機本体側機構部１６の正面から見て左方には上部パチンコ球流入路２１と下部パチンコ球流入路２２がそれぞれ配設されている。両パチンコ球流入路２１，２２間にはバイパス通路２３が形成されている。下部パチンコ球流入路２２の上方にはファール球通路２４が形成されている。バイパス通路２３及びファール球通路２４はユニット化されている。
【００１３】
遊技機本体側機構部１６の上方には遊技盤取り付けスペース２５が形成されている。遊技盤２７は同スペース２５内に配設される。同スペース２５は遊技機本体１４の外郭を構成する要素の一部である左右の縦フレーム１４ａ、上部の横フレーム１４ｂ及び遊技盤２７が載置される載置部としての棚部２８によって包囲された領域である。棚部２８は左右方向に延びる水平面として構成され遊技盤２７の厚み（前後巾）に対応した巾に構成されている。同スペース２５は収容される遊技盤２７の厚みに対応した前後方向厚みを有し、遊技盤２７は同スペース２５内に前方側よりはめ込まれる。
縦フレーム１４ａ、横フレーム１４ｂ及び棚部２８の後方寄りには遊技盤２７を後方から支える後板部２９が形成されている。後板部２９は遊技機本体１４の背部において遊技盤取り付けスペース２５を取り巻くようにバリ状に形成された薄板であって遊技盤取り付けスペース２５内に遊技盤２７が配置された状態でその背面が後板部２９に当接して密着させられることとなる。後板部２９の内側は大きく開口した開口部３０とされている。左右の縦フレーム１４ａの前方寄り上下２箇所には固定手段としての側部回転固定具３１が配設されている。棚部２８の前方寄りの送球部１９に隣接した位置には固定手段及び押圧固定手段としての下部回転固定具３２が配設されている。図１０に示すように各回転固定具３１，３２（図示は回転固定具３２のみ）は回動軸となる木ねじ３３に対してばね座金３３ａとナット３３ｂによって回転可能に装着されている。図１１に示すように、各回転固定具３１，３２（図示は回転固定具３２のみ）は遊技盤２７の遊技盤取り付けスペース２５内へのはめ込みに邪魔にならない破線で示す退避位置と同スペース２５内へ遊技盤２７をはめ込んだ後に遊技盤２７を後板部２９方向に押し付ける実線で示す押圧固定位置とを取りうる。
【００１４】
図６に示すように、パネル体をなす遊技盤２７には遊技面２７ａから裏面に貫通する大小複数の開口部が形成され、各開口部にはそれぞれ目的に応じた各種装飾パネルが併設されている。木製の遊技盤２７の外郭は配線等の関係から部分的にカットされた変形正方形形状とされている。遊技盤２７の遊技面２７ａは平面に構成され、遊技面２７ａに対して棚部２８と接する遊技盤２７の底面２７ｂは直交する平面に構成され、遊技盤２７の背面２７ｃは遊技面２７ａに対して平行な平面として構成される。遊技盤２７は遊技盤２７は遊技盤取り付けスペース２５内に配置された状態（棚部２８に載置されて遊技盤取り付けスペース２５内にはめ込まれた状態）で前方側から５つの回転固定具３１，３２が作用した状態（つまり係合した状態）で後板部２９に密着させられている。
遊技盤２７の略中央には可変表示ユニット３５が配設されている。可変表示ユニット３５は大型の液晶ディスプレイ３６を備えている。図８に示すように可変表示ユニット３５は遊技盤２７背面に配置される表示制御装置３７を備えている。可変表示ユニット３５の直下には始動口３８が配置されており、さらにその下方にいわゆる大入賞口と呼称される可変入賞装置３９が配置されている。可変表示ユニット３５の左右両側にスルーゲート４０が配置され、始動口３８の左右両側方向には一般入賞口４１がそれぞれ複数配置されている。遊技盤２７の最下部位置にはアウト口４２が設けられており、各種入賞口等に入らなかったパチンコ球はアウト口４２を通って図示しない球排出路の方へと案内されるようになっている。遊技盤２７の表面には、パチンコ球の落下方向を適宜分散、調整等するために多数の遊技釘４４が植設されている。また、風車４３等の各種部材（役物）が配設されている。
【００１５】
遊技盤２７の遊技面２７ａ上には、レール部材としての外レール５１と内レール５２が装着されている。遊技盤２７が遊技機本体１４の遊技盤取り付けスペース２５に配設された状態で両レール５１，５２によって遊技面２７ａに遊技領域が画定されている。
図８に示すように、外レール５１は前記遊技球発射ユニット１７の補助レール２０の正面から見て左斜め上方であって、同補助レール２０の延長方向にファール球通路２４上方の空間を隔てた位置にその基端が配置されている。外レール５１は基端から時計回り方向に円弧状に上方に延出され遊技面２７ａの頂点から若干進んだ位置（遊技面２７ａを時計のダイヤルと見立てた場合の略２時方向位置）にその先端が配置されている。
【００１６】
内レール５２は遊技面２７ａを時計のダイヤルと見立てた場合の略４時方向に基端が配置されている。内レール５２は基端から時計回り方向に円弧状に下方に延出され、前記アウト口４２前面を略水平に横切った後、外レール５１の内周側を上方に向かって延出され、遊技面２７ａの頂点の手前位置（遊技面２７ａを時計のダイヤルと見立てた場合の略１０時方向位置）にその先端が配置されている。内レール５２の先端には遊技面２７ａに打ち出されたパチンコ球の逆進を防止するための片持ちの舌片が形成された逆進防止部材５５が装着されている。円弧状の内レール５２の最下方位置はアウト口４２と交差する位置とされている。両レール５１，５２は正面から見てアウト口４２の左方位置から逆進防止部材５５位置（つまり内レール５２の先端）にかけて隣接して配置されパチンコ球発射通路４９が形成されている。
外レール５１及び内レール５２は帯状の同幅に形成されたステンレス製薄板条体から構成されている。両レール５１，５２は遊技面２７ａに対して前方に向かって略垂直に立設されている。
【００１７】
パチンコ球は遊技球発射ユニット１７によって打ち出されると補助レール２０を滑走した後、外レール５１に乗り移り外レール５１を更に滑走しながら外レール５１と内レール５２との間のパチンコ球発射通路４９を上方に向かって進み遊技面２７ａに飛び出す。この時、遊技球発射ユニット１７による打ち出し力が弱く補助レール２０から外レール５１に乗り移ることができなかったり、外レール５１に乗り移っても遊技領域まで至らなかったパチンコ球は落下してファール球通路２４に導かれる。
遊技領域に放出されたパチンコ球は落下しながら遊技釘４４、装飾パネルあるいは各種役物等と干渉して弾かれながら降下し、途中始動口３８、可変入賞装置３９及び一般入賞口４１に入賞する球以外はすべて内レール５２上に落下し、同内レール５２を伝わって最下部位置のアウト口４２に導かれる。入賞した入賞球及びアウト口４２に導かれたアウト球は図示しない排出通路を経て機外に一旦放出される。
【００１８】
次に遊技盤２７の背面構成について図２及び図３に基づいて説明する。
可変表示ユニット３５の背面側には表示制御装置６２と主制御装置６３が配設されている。表示制御装置６２は液晶ディスプレイ３６等の表示装置全般の制御を司る。主制御装置６３は全体の制御を司るメインＣＰＵ、遊技プログラムを記憶したＲＯＭ、遊技の進行状況に応じて必要なデータを記憶するＲＡＭ、音声や表示ランプ等の制御を行うサブＣＰＵ、クロックパルス発生回路、各種ポート等から構成されている。表示制御装置６２及び主制御装置６３は着脱可能である。
【００１９】
図１に示すように、遊技機本体１４の前面にはパネル体としての前面扉８１が配設されている。図３及び図４に示すように、前面扉８１はプレス成形された合金製の扉枠８２に対してＡＢＳ樹脂製の扉パネル８３を装着して構成される接合パネル体である。扉パネル８３が前面側に配置されて遊技者に目視されることとなる。図１及び図３に示すように、前面扉８１の外郭は遊技機本体１４の正面から見た外郭と略一致した長方形形状の外郭の正面形状を有している。前面扉８１は遊技機本体１４に対して開閉可能に取り付けられている。前面扉８１の扉枠８２には遊技機本体１４と同様前記開閉金具１５ａ，１５ｂの開閉軸線Ｐと同軸に開閉金具８４が取り付けられ、開閉金具８４を軸心として前方側に開放可能とされている。そのため、遊技機本体１４は外枠１２に対して開閉可能とされるとともに、前面扉８３は外枠１２と遊技機本体１４のそれぞれに対して独立して開閉可能とされている。
図４に示すように、扉枠８２には開閉軸線Ｐ側とは逆側の側縁に上下方向に間隔を開けて２箇所にラッチ機構Ｌ２が配設されている。ラッチ機構Ｌ２は前面扉８３が遊技機本体１４に対して閉塞された際に遊技機本体１４側の挿入溝Ｄ２（図５参照）に挿入されて係合しロック状態とされる。ロック状態の解除は遊技機本体１４背面側からの図示しない解除装置の操作によって行われる。
扉枠８２及び扉パネル８３には遊技者が遊技面２７ａを目視するための窓部としての円形の目視用窓孔８５，８６がそれぞれ形成されている。図１に示すように窓ガラス８７が扉枠８２側の目視用窓孔８５の背面側に配設されている。扉枠８２側の目視用窓孔８５の周囲は補強のためのリブ構造とされ、窓ガラス８７が目視用窓孔８５に沿って形成された取り付けリブ８８の後端面に対して取着されるようになっている。図４に示すように、目視用窓孔８５の下部寄りにはプレスバー８９が後方に向かって突設されている。プレスバー８９は棒状の本体８９ａと本体と一対に形成された基部プレート８９ｂから構成されている。図９に示すようにプレスバー８９の先端寄り両側に抜け止めとしての膨出部８９ｃが形成されており、膨出部８９ｃを覆うようにプレスバー８９の先端には合成ゴム製のキャップ９０が冠着されている。プレスバー８９は基部プレート８９ｂを介して扉枠８２に対してねじ９９によって固着されている。
扉枠８２の背面側であって目視用窓孔８５の下部領域には遊技機本体１４側から流入するパチンコ球を前面扉８１側に導く流入通路９１が配設されている。流入通路９１の側方には上部バイパス通路９２が配設されている。
【００２０】
扉パネル８３の前面側であって、目視用窓孔８５の左右及び上方には前方に膨出した装飾用パネル９３が配設されている。扉パネル８３裏面側には図示しないスピーカ装置や装飾ランプが所定位置に配設されている。目視用窓孔８６の下方位置には、前側へ膨出した上受け皿９４が形成されている。上受け皿９４は後述する払い出し装置１０６より払い出され、上部パチンコ球流入路２１から流入し、流入通路９１を介して供給されるパチンコ球を一旦貯留し、一列に整列させながら遊技球発射ユニット１７に導くための球貯留部である。
上受け皿９４の下方位置には、同じく前側へ膨出した下受け皿９５が形成されている。下受け皿９５内にはバイパス通路２３及びファール球通路２４からパチンコ球が流下する下部流出口９６が配設されている。下受け皿９５は上受け皿９４のパチンコ球の貯留量が多すぎる場合や遊技者の能動的な操作に基づいて上受け皿９４から流下させたパチンコ球を貯留するための補助的な球貯留部である。
装飾用パネル９１、上受け皿９４及び下受け皿９５周辺は全体としてデザイン的な統一が図られている。正面から見て下受け皿９５の左方には灰皿９７が配設されている。下受け皿９５の右方には遊技球発射ユニット１７と連動するパチンコ球打ち出し用ハンドル９８が前方に突出形成されている。
【００２１】
次に、遊技機本体１４の背面側に配設される後方パネル体としての機構盤１００及び払い出し等制御ユニット１０１の構成について図２及び図３に基づいて説明する。
機構盤１００及び払い出し等制御ユニット１０１は遊技機本体１４の軸受け部１２０に対して支持ピンによって回動可能かつ着脱可能に取着されている。機構盤１００及び払い出し等制御ユニット１０１は遊技機本体１４に対してナイラッチ１２２によって固着されるようになっている。機構盤１００は水平に延設されるとともにその一端から下垂する全体形状として鈎状をなすポリカーボネート製のフレーム１０２をベースとし、フレーム１０２に対して各種構成部品が固着されて構成されている。水平に延設されるフレーム部分を上部フレーム１０２ａとし、下垂するフレーム部分を側部フレーム１０２ｂとする。
機構盤１００の最上部位置であって上部フレーム１０２ａの背面にはタンク１０３が配設されている。タンク１０３には遊技ホールの島設備から新たなパチンコ球が供給される。タンク１０３の下部隣接位置にはタンクレール１０４が配設されている。タンクレール１０４の下流側（図２における右側）には側部フレーム１０２ｂの背面に沿って上下方向に延びるケースレール１０５が配設されている。ケースレール１０５の途中には払い出し装置１０６が配設されている。パチンコ球はタンクレール１０４からケースレール１０５に案内され、後述する払い出し制御装置１１０による払い出し装置１０６の制御に基づいて適宜払い出しされる。払い出し装置１０６の下部位置であってケースレール１０５と重複状に外部電源基板１０７が配設されている。外部電源基板１０７は変圧器を介して供給される電源を遊技機全体に供給するためのメイン基板とされる。
タンクレール１０４の下部位置でありケースレール１０５、払い出し装置１０７及び外部電源基板１０７の側方位置には表示制御装置６２のすべてと主制御装置６３の上方寄り部分を覆う保護カバー１０８が配設されている。
【００２２】
機構盤１００の下方の隣接位置に払い出し等制御ユニット１０１が配設されている。本実施例では払い出し等制御ユニット１０１は機構盤１００と別体に構成されるが一対に構成される場合もある。払い出し等制御ユニット１０１は基板ボックス１１０に格納された払い出し制御装置１１１、内部電源基板１１２及び発射制御装置１１３等から構成されている。払い出し制御装置１１１は賞球の払い出しの制御を司る。内部電源基板１１２は各種制御基板における所定の電源電圧の制御を行う。発射制御装置１１３は遊技者のハンドル９７操作に基づくパチンコ球の発射モードの制御を司る。
払い出し等制御ユニット１０９に隣接した側方位置（外部電源基板１０７の下方）には払い出し中継基板１１４が配設されている。払い出し中継基板１１４は払い出し制御装置１１１からの払い出し装置１０６への払い出し信号の出力を中継する役割を果たす。タンクレール１０４の側方（図２における右方）の上部フレーム１０４ａには外部端子接続基板１１５が配設されている。
【００２３】
次に、このように構成されたパチンコ遊技機１１における遊技盤２７、前面扉８１及び遊技機本体１４周辺の構成に基づく作用について説明する。
パチンコ遊技機１１を構成する各パネルを組み立てていく。すなわち外枠１２に対して遊技機本体１４を装着し、更に、遊技機本体１４の前後から遊技盤２７と機構盤１００及び払い出し等制御ユニット１０１を取り付け、最後に前面扉８１を取り付ける。
ここに、遊技機本体１４に遊技盤２７を取り付ける際には遊技盤２７を遊技機本体１４の前方側から棚部２８に載置させ回転固定具３１，３２によって遊技盤２７を遊技機本体１４に対して固定するようにする。
基本的に回転固定具３１，３２が遊技盤２７前面と係合して遊技盤２７が後板部２９方向に押さえ込まれるならば遊技盤２７は正しく棚部２８に載置され図１２（ａ）に示すように棚部２８と遊技盤２７の底面２７ｂとは密着する。ところが、遊技盤２７が正しく棚部２８に載置されても下部回転固定具３２を操作するのを忘れてしまった場合（図１１の破線で示すように下部回転固定具３２が作用していない場合）には図１２（ｂ）に示すように遊技盤２７の後板部２９への押さえ込みが足らず、遊技盤２７は底面２７ｂが下方位置が棚部２８に密着せずに隙間Ｓ１が形成されてしまい背面２７ｃと後板部２９とも密着せず隙間Ｓ２が形成されてしまう場合が生じることがある。つまり遊技盤２７がわずかに後傾した状態で遊技盤取り付けスペース２５内にはめ込まれてしまうこととなってしまう。
このように遊技盤２７が遊技盤取り付けスペース２５に正しくセットされないと、遊技盤２７前面側の、外レール５１が遊技機本体１４側の遊技球発射ユニット１７の補助レール２０とわずかにオフセットされて配置されてしまうこととなる。また外レール５１自体も若干前上がりに配置されてしまうこととなる。もし、遊技盤２７がこのような状態で配置されたとするとそのことが原因で打ち出されたパチンコ球が滑走面と必要以上に強い摩擦で接したり窓ガラス８７に衝突したり等本来の動きとは異なる挙動を示して遊技に支障を来してしまうこととなる。いわゆる「飛びむら」である。
しかし、本実施の形態では前面扉８１の背面側にプレスバー８９が突設されているため、図８において破線で示す前面扉８１が開放された状態から実線で示す閉塞された状態となる際に図１３の状態の遊技盤２７が遊技盤２７の下部回転固定具３２近傍のプレス位置ＰＳを押圧することとなっている（図７参照）。そのため、遊技盤２７の底面２７ｂと棚部２８との間に隙間Ｓ１（遊技盤２７の背面２７ｃと後板部２９との間には隙間Ｓ２）が形成されていても前面扉８１を閉塞することに伴って遊技盤２７は後板部２９方向に押されて図１４に示すように本来の位置に修正配置されることとなる。
【００２４】
以上のように構成することによって上記実施の形態では次のような効果を奏する。
（１）万一下部回転固定具３２を遊技盤２７に係合させるのを忘れてしまって遊技盤２７の下方位置において底面２７ｂが棚部と密着せず、背面２７ｃが後板部２９に密着しないような場合であっても、あるいは例え遊技盤２７に下部回転固定具３２を設けないような構成であっても前面扉８１の閉塞に伴ってプレスバー８９に押圧されて自動的に位置修正された遊技盤２７が本来の正しい配置位置である後板部２９に密着した位置に配置されることとなるため、遊技球発射ユニット１７から発射されたパチンコ球が「飛びむら」を起こして遊技に支障を来すという不具合が生じることがなくなる。
（２）プレスバー８９の先端には弾性のあるキャップ９０を装着しているため、これが緩衝作用を有することとなってプレスバー８９の基部が損傷したり当接側の遊技盤２７が傷ついたりすることが少なくなる。
（３）プレスバー８９は下部回転固定具３２の近傍であって、なおかつ下部回転固定具３２と干渉しない位置をプレス位置ＰＳとしている。つまり、下部回転固定具３２がどのような回転状態にあっても当たることがないので、押圧作用が下部回転固定具３２によって阻害されることがない。なおかつ、本来の固定手段（押圧固定手段）である下部回転固定具３２の係合位置に近い位置を押圧するため、遊技盤２７の正しい位置への修正移動が速やかに実行されることとなる。
（４）プレスバー８９は前面扉８１に設けられているがこの場合にプレスバー８９が前面扉８１の閉塞に伴って遊技に支障のあるような位置に進出してしまうことは許されない。本実施例ではプレスバー８９は下部回転固定具３２の近傍であってパチンコ球が通過するパチンコ球発射通路４９とは逆側の遊技領域から外れた位置を押圧するようになっているため遊技においてはまったく支障が生じることがない。
（５）押圧手段であるプレスバー８９は扉枠８２とは別体でネジ９９によって着脱可能に固定されているため、損傷した場合でもプレスバー８９のみを交換すればよくコスト性に優れている。
【００２５】
本発明は以下のような態様に変更して実施することが可能である。
・上記プレスバー８９を図１５及び図１６に示すような押圧手段に構成に変更して実施することも可能である。図１５に示すように、扉枠８２の上記実施例の取り付けリブ８８に隣接したプレスバー８９取り付け位置にはボックス体１３０が配設されている。本実施例ではボックス体１３０は扉枠８２とは別体で構成されており、扉枠８２背面に図示しないリベット等の固着手段で取り付けられている。ボックス体１３０の後方（前面扉８１閉塞時の遊技盤２７方向）には透孔１３１が形成されている。ボックス体１３０内であって同透孔１３１を貫挿した状態でプレスバー１３３が配設されている。プレスバー１３３はバー本体１３４とバー本体１３４先端の弾性キャップ１３５から構成されている。弾性キャップ１３５側が後方に突出されている。プレスバー１３３のボックス体１３０に配置されるバー本体１３４部分の外周には脱落防止リング１３６とコイルバネ１３７が配設されている。
このような構成では弾性キャップ１３５に加えてコイルバネ１３７の緩衝作用も加わるためプレスバー１３３やボックス体１３０が損傷したり当接側の遊技盤２７が傷ついたりすることが更に少なくなる。また、プレスバー１３３の進退量が大きいためなんらかの原因で非常に大きな負荷がプレスバー１３３にかかる場合にプレスバー１３３が後退することで損傷を防止することもできる。
【００２６】
・上記実施の形態ではプレスバー８９，１３３は１つだけを配設するようにしていたが、図１７に示すように、所定間隔で複数を配設するようにしてもよい。図１７では特に遊技盤２７の下方のアウト口４２の両側近傍を押圧するように配置しており、遊技盤２７の傾きの修正にはより望ましい。またこの位置は遊技領域ではなく補助レール２０から発射されるパチンコ球の経路からも外れているため遊技に支障がない。一方、この付近を押圧することがもっとも遊技盤を密着させる場合の効果が大きくなる。
・上記実施の形態では後方パネル体として遊技機本体１４を採用したが、他の機能を有するパネル体に応用することも自由である。
・上記実施の形態では前方パネル体として前面扉８１を採用したが、他の機能を有するパネル体に応用することも自由である。
・遊技盤２７には必ずしも下部回転固定具３２を設けなくとも構わない。
・係合手段としては回転式の機構以外に上記ラッチ機構Ｌ１，Ｌ２と挿入溝Ｄ１，Ｄ２のような挿入式の係合手段を使用することも可能である。
・押圧手段の形状は上記プレスバー８９，１３３のような棒状のものに限定されるものではない。
・上記実施の形態のパチンコ遊技機１１以外の機種に応用することも自由である。またパチンコ遊技機以外のいわゆるパチロットに応用することも可能である。
その他、本発明の趣旨を逸脱しない態様で実施することは自由である。
【００２７】
上記請求項に適宜追加可能な上記実施の形態から把握できる本発明のその他の技術的思想について下記に付記として説明する。
（１）上記請求項において、前記後方パネル体は前記一のパネル体の外周全域を包囲していること。
つまり、後方パネル体は一のパネル体の周囲すべてに及んでいるため、後方パネル体自体が非常にしっかりと固定されることとなっており、その結果後方パネル体に押圧される一のパネル体も安定して押圧されることとなる。
（２）上記請求項又は付記（請求項６の構成を含む場合）において、前記一のパネル体はレール部材によって略円形形状に区画された遊技領域をその前面に有する遊技盤であって、前記押圧手段は遊技領域以外の部分を押圧すること。
これによって、押圧手段が遊技の支障となることがない。
（３）上記請求項又は付記（請求項６の構成を含む場合）において、前記一のパネル体はレール部材によって略円形形状に区画された遊技領域をその前面に有する遊技盤であって、前記押圧手段は遊技球発射機構から発射された遊技球が干渉することのない位置に配置されること。
これによって、押圧手段が遊技の支障となることがない。
（４）上記請求項又は付記（請求項６の構成を含む場合）において、押圧手段は前記レール部材よりも下方位置に当接すること。
遊技盤の下端寄りにレール部材の基部が配設されているため、この付近を押圧することがもっとも遊技盤を密着させる場合の効果が大きくなるからである。
（５）上記請求項又は付記（請求項６の構成を含む場合）において、複数の押圧手段は遊技盤の下端寄りを略水平方向に間隔をおいて当接すること。
遊技盤が載置される遊技機本体の載置部に沿った部分をしっかりと遊技機本体側に密着されることが遊技盤全体の密着性の観点からも好ましいからである。
（６）上記請求項又は付記において、押圧手段はコイルバネの付勢力によって進退する当接部材によって前記一のパネル体に当接すること。
コイルバネは嵩張らずパネル体のような狭い場所に配設するのには適しているからである。また、進退量が大きいため大きな負荷が係った場合に部材を損傷させることがなくなる。尚、他の付勢手段（板バネ、クッション材）を使用することも可能である。
（７）前記突起体には着脱可能に弾性体が冠着されていること。
これによって弾性体が劣化した場合に弾性体のみを取り替えることが可能である。
【符号の説明】
【００２８】
１１…パチンコ遊技機、１４…後方パネル体としての遊技機本体、２７…一のパネル体としての遊技盤、３１，３２…固定手段としての回転固定具、８９，１３３…押圧手段としてのプレスバー、８１…前方パネル体としての前面扉。
【図１】
0005967388.tif 000002
【図２】
0005967388.tif 000003
【図３】
0005967388.tif 000004
【図４】
0005967388.tif 000005
【図５】
0005967388.tif 000006
【図６】
0005967388.tif 000007
【図７】
0005967388.tif 000008
【図８】
0005967388.tif 000009
【図９】
0005967388.tif 000010
【図１０】
0005967388.tif 000011
【図１１】
0005967388.tif 000012
【図１２】
0005967388.tif 000013
【図１３】
0005967388.tif 000014
【図１４】
0005967388.tif 000015
【図１５】
0005967388.tif 000016
【図１６】
0005967388.tif 000017
【図１７】
0005967388.tif 000018